(57)【要約】【課題】スイミングゴーグルの目の部分を覆っている空間部に水が浸入すること。【解決手段】左右一対の、板状の窓部１１１とフランジ部１１２を有する透明部材１１０と、透明部材１１０を所定間隔を隔てて保持すると共に、装着者の目の周囲に接触可能なフレーム部材１２０と、フレーム部材１２０の両端に取り付けられた装着用ベルト１３０と、を備えたスイミングゴーグル１００であって、フランジ部１１２の表面側には、内部に空間部１４１を有し変形可能な中空部材１４０が設けられており、且つ、フレーム部材１２０が装着者の目の周囲に接触した際に形成される内側空間１２２ａと空間部１４１とが連通する貫通孔１５０が、フランジ部１１２と中空部材１４０に形成されている、ことを特徴とするスイミングゴーグル１００である。【選択図】図１
2018186905.tif 000002
【特許請求の範囲】
【請求項１】
左右一対の、板状の窓部を少なくとも有する透明部材と、
前記透明部材を所定間隔を隔てて保持すると共に、装着者の目の周囲に接触可能なフレーム部材と、
前記フレーム部材の両端に取り付けられた装着用ベルトと、を備えたスイミングゴーグルであって、
前記透明部材の表面側又は前記フレーム部材の表面側には、内部に空間部を有し変形可能な中空部材が設けられており、且つ、前記フレーム部材が前記装着者の目の周囲に接触した際に形成される内側空間と前記空間部とが連通する貫通孔が、少なくとも前記透明部材又は前記フレーム部材に形成されている、ことを特徴とするスイミングゴーグル。
【請求項２】
前記透明部材は、前記装着者の目の前に位置する前記窓部と、前記窓部の全周から前記装着者の顔面側に向けて立ち上がったリング状のフランジ部と、を有しており、
前記中空部材は、前記フランジ部の内、前記フレーム部材が前記装着者の目の周囲に接触した際に上側に位置する部位と下側に位置する部位の少なくとも何れか一方の部位に設けられている、ことを特徴とする請求項１に記載のスイミングゴーグル。
【請求項３】
前記フレーム部材は、前記透明部材を前記所定間隔を隔てて保持する保持部と、前記装着者の目の周囲に接触可能な接触部と、を有し、
前記接触部は弾力性を有しており、
前記中空部材は、前記保持部に設けられている、ことを特徴とする請求項１に記載のスイミングゴーグル。
【請求項４】
前記貫通孔は、前記中空部材が前記透明部材又は前記フレーム部材に固定されている範囲の中で端に位置している、ことを特徴とする請求項１乃至３の何れか一つに記載のスイミングゴーグル。
【発明の詳細な説明】
【技術分野】
【０００１】
本発明は、スイミングゴーグルに関する。
【背景技術】
【０００２】
従来より、水泳の時に装着するスイミングゴーグルが公知である。
【０００３】
従来のスイミングゴーグルを装着する場合、装着ベルトの締め付け具合を調整した上で後頭部側に引っ掛けて、弾力性のあるパッド部を装着者の目の周囲に押し当てて密着させる。
【発明の概要】
【発明が解決しようとする課題】
【０００４】
しかしながら、従来のこの様なスイミングゴーグルの構成では、ゴーグルの目の部分を覆っている空間部に水が浸入することがあり、これを避けるためには出来るだけ装着ベルトの締め付け具合を強くするしかなく、締め付けが強くなると装着感が悪くなるという問題があった。
【０００５】
本発明は、上記従来のスイミングゴーグルのこの様な課題に鑑みて、装着ベルトの締め付け具合を強くしなくても水の浸入を抑制することが出来るスイミングゴーグルを提供することを目的とする。
【課題を解決するための手段】
【０００６】
第１の本発明は、
左右一対の、板状の窓部を少なくとも有する透明部材と、
前記透明部材を所定間隔を隔てて保持すると共に、装着者の目の周囲に接触可能なフレーム部材と、
前記フレーム部材の両端に取り付けられた装着用ベルトと、を備えたスイミングゴーグルであって、
前記透明部材の表面側又は前記フレーム部材の表面側には、内部に空間部を有し変形可能な中空部材が設けられており、且つ、前記フレーム部材が前記装着者の目の周囲に接触した際に形成される内側空間と前記空間部とが連通する貫通孔が、少なくとも前記透明部材又は前記フレーム部材に形成されている、ことを特徴とするスイミングゴーグルである。
【０００７】
また、第２の本発明は、
前記透明部材は、前記装着者の目の前に位置する前記窓部と、前記窓部の全周から前記装着者の顔面側に向けて立ち上がったリング状のフランジ部と、を有しており、
前記中空部材は、前記フランジ部の内、前記フレーム部材が前記装着者の目の周囲に接触した際に上側に位置する部位と下側に位置する部位の少なくとも何れか一方の部位に設けられている、ことを特徴とする上記第１の本発明のスイミングゴーグルである。
【０００８】
また、第３の本発明は、
前記フレーム部材は、前記透明部材を前記所定間隔を隔てて保持する保持部と、前記装着者の目の周囲に接触可能な接触部と、を有し、
前記接触部は弾力性を有しており、
前記中空部材は、前記保持部に設けられている、ことを特徴とする上記第１の本発明のスイミングゴーグルである。
【０００９】
また、第４の本発明は、
前記貫通孔は、前記中空部材が前記透明部材又は前記フレーム部材に固定されている範囲の中で端に位置している、ことを特徴とする上記第１乃至第３の何れか一つの本発明のスイミングゴーグルである。
【発明の効果】
【００１０】
本発明によれば、装着ベルトの締め付け具合を強くしなくても水の浸入を抑制することが出来るスイミングゴーグルを提供することが出来るという効果を発揮する。
【図面の簡単な説明】
【００１１】
【図１】本実施の形態のスイミングゴーグルの構成を示す斜視図
【図２】（ａ）〜（ｄ）：スイミングゴーグルに設けられている中空部材を説明する概略断面図
【図３】（ａ）〜（ｃ）：スイミングゴーグルに設けられている中空部材の位置と個数が異なる構成例を示す正面図
【図４】スイミングゴーグルの変形例としての第２スイミングゴーグルを示す斜視図
【図５】スイミングゴーグルの変形例としての第２スイミングゴーグルを示す斜視図であり、図４に示す構成例と中空部材の位置が異なる構成例の図
【図６】中空部材の変形例としての第３中空部材を示す部分拡大概略断面図
【発明を実施するための形態】
【００１２】
以下に、本発明のスイミングゴーグルの一実施の形態について、図面を用いて説明する。
【００１３】
図１は、本実施の形態のスイミングゴーグル１００の構成を示す斜視図である。
【００１４】
図２（ａ）〜図２（ｄ）は、スイミングゴーグル１００に設けられている中空部材を説明する概略断面図である。図２（ａ）は、中空部材１４０に貫通孔１５０が１つ設けられている場合のＣ−Ｃ’矢視断面の概略図であり、図２（ｂ）は、中空部材１４０に貫通孔１５０が２つ設けられている変形例のＣ−Ｃ’矢視断面の概略図であり、図２（ｃ）は、図２（ａ）の中空部材１４０の部分拡大断面図であり、図２（ｄ）は、中空部材１４０の変形例である第２中空部材１１４０の部分拡大断面図である。断面の位置等は、図３（ａ）において、二点鎖線、矢印、及び符号Ｃ、Ｃ’により示した。なお、図２（ｂ）、図２（ｄ）に示す構成例については、更に後述する。
【００１５】
図３（ａ）〜図３（ｃ）は、スイミングゴーグル１００に設けられている中空部材１４０の位置と個数が異なる構成例を示す正面図である。なお、図３（ｂ）、図３（ｃ）に示す構成例については、更に後述する。
【００１６】
本実施の形態のスイミングゴーグル１００は、図１に示す様に、（１）左右一対の、略楕円形の板状の窓部を少なくとも有する透明部材１１０と、（２）透明部材１１０を所定間隔を隔てて保持すると共に、装着者の目の周囲に接触可能なフレーム部材１２０と、（３）フレーム部材１２０の両端に取り付けられた、長さ調節可能な装着用ベルト１３０と、を備えている。
【００１７】
また、左右一対の透明部材１１０は、図１に示す様に、透明なポリカーボネート等の樹脂製であり、（１）左右一対の略楕円形の板状の窓部１１１と、（２）窓部１１１の全周から装着者の顔面側に向けて立ち上がったリング状のフランジ部１１２と、を有し、窓部１１１とフランジ部１１２は一体成型された略アイカップ形状を成している。
【００１８】
また、フレーム部材１２０は、図１に示す様に、（１）左右一対の透明部材１１０をそれぞれ保持する樹脂製又はゴム製の保持部１２１と、（２）装着者の目の周囲に接触可能な弾力性を有するパッド部１２２と、（３）左右一対の保持部１２１を所定間隔を隔てて連結する連結部１２３とにより構成されている。
【００１９】
また、本実施の形態のスイミングゴーグル１００では、左右一対のフランジ部１１２の表面側において、左右両外側の上部に、内部に空間部１１４（図２（ａ）参照）を有しシリコンゴム製の弾性変形可能な中空部材１４０がそれぞれ設けられている（図３（ａ）参照）。
【００２０】
中空部材１４０は、図２（ｃ）に示す様に、袋状部材であり、フランジ部１１２の表面との接触面において接着剤により固定されている。
【００２１】
更に、スイミングゴーグル１００を装着した場合に、フレーム部材１２０のパッド部１２２が装着者の目の周囲に接触することにより、透明部材１１０と保持部１２１とパッド部１２２とにより覆われて形成される内側空間１２２ａと中空部材１４０の空間部１４１とを連通させるための貫通孔１５０が、フランジ部１１２と中空部材１４０とを貫通して形成されている。また、当該貫通孔１５０は、中空部材１４０が、フランジ部１１２の表面に固定されている固定面の範囲の中で最も端に形成されている。
【００２２】
これにより、スイミングゴーグル１００を水洗いしたりする際に、仮に中空部材１４０の空間部１４１に水が浸入した場合でも、貫通孔１５０が端にあれば、貫通孔１５０側を下にして中空部材１４０を指等で押さえつけることにより、空間部１４１に侵入した水を最後の一滴まで排出させることが出来る。
【００２３】
また、上記構成により、本実施の形態のスイミングゴーグル１００を装着する場合について説明する。
【００２４】
即ち、まず、装着者は、装着用ベルト１３０（図１参照）を後頭部に宛がい、例えば、両手の親指と人差し指で左右の保持部１２１の上下を持ち、中指で中空部材１４０を矢印Ａ方向（図２（ｃ）参照）に強く押さえながら、左右のパッド部１２２（図１参照）を目の周囲に押し付ける。
【００２５】
そして、両手を離すと、それまで押さえつけられて空間部１４１が収縮していた左右の中空部材１４０は、その弾性力により元の形状に戻り、空間部１４１も元の様に膨らむが、その空間部１４１が膨らむ際に、透明部材１１０と保持部１２１とパッド部１２２とにより覆われて形成されている内側空間１２２ａの空気が、貫通孔１５０を介して、空間部１４１に吸引される（図２（ｃ）の矢印Ｂ参照）。
【００２６】
これにより、内側空間１２２ａの空気圧が下がり、パッド部１２２が目の周囲に、より一層しっかりと吸着するので、内側空間１２２ａへの水の浸入を効果的に抑制することが出来る。
【００２７】
なお、本実施の形態の透明部材１１０は、本発明の透明部材の一例にあたり、本実施の形態のフレーム部材１２０は、本発明のフレーム部材の一例にあたる。また、本実施の形態の装着用ベルト１３０は、本発明の装着用ベルトの一例にあたり、本実施の形態の中空部材１４０は、本発明の中空部材の一例にあたる。また、本実施の形態の貫通孔１５０は、本発明の貫通孔の一例にあたる。
【００２８】
また、本実施の形態の窓部１１１は、本発明の窓部の一例にあたり、本実施の形態のフランジ部１１２は、本発明のフランジ部の一例にあたる。また、本実施の形態の保持部１２１は、本発明の保持部の一例にあたり、本実施の形態のパッド部１２２は、本発明の接触部の一例にあたる。
【００２９】
なお、上記実施の形態では、図２（ａ）に示す様に、内側空間１２２ａと中空部材１４０の空間部１４１とを連通させるための貫通孔１５０が、１つ形成されている場合について説明したが、これに限らず例えば、貫通孔１５０が２つ（図２（ｂ）参照）又はそれ以上形成されていても良い。
【００３０】
また、上記実施の形態では、図２（ｃ）に示す様に、中空部材１４０が袋状であり、内側空間１２２ａと中空部材１４０の空間部１４１とを連通させるための貫通孔１５０が、フランジ部１１２と中空部材１４０とを貫通して形成されている場合について説明したが、これに限らず例えば、本発明の中空部材の他の一例として、図２（ｄ）に示す様に、ドーム状の第２中空部材１１４０を、フランジ部１１２に接着固定しても良い。この構成の場合、内側空間１２２ａと第２中空部材１１４０の空間部１４１とを連通させるための第２貫通孔１１５０は、フランジ部１１２にのみを貫通して形成されておれば良い。
【００３１】
また、上記実施の形態では、貫通孔１５０は、中空部材１４０が、フランジ部１１２の表面に固定されている固定面の範囲の中で最も端に形成されている場合について説明したが（図２（ａ）参照）、これに限らず例えば、透明部材１１０と保持部１２１とパッド部１２２とにより覆われて形成される内側空間１２２ａと中空部材１４０の空間部１４１とを連通させる位置であればどこでも良い。
【００３２】
また、上記実施の形態では、図３（ａ）に示す様に、中空部材１４０が、左右一対のフランジ部１１２の表面側において、左右両外側の上部にそれぞれ１つずつ設けられている場合について説明したが、これに限らず例えば、中空部材１４０が、左右一対のフランジ部１１２の表面側において、左右両外側の上部と下部にそれぞれ１つずつ設けられていても良い（図３（ｂ）参照）し、或いは、中空部材１４０が、左右一対の窓部１１１の表面側の上部にそれぞれ１つずつ設けられていても良い（図３（ｃ）参照）。また、これに限らず例えば、中空部材１４０が、左右一対のフランジ部１１２の表面側において、左右両外側の下部にそれぞれ１つずつ設けられていても良い。また、中空部材１４０が、左右一対の窓部１１１の表面側の上部に限らず、例えば、視界の妨げにならない場所であれば、左右一対の窓部１１１の表面側の縁部等どこに設けられていても良い。
【００３３】
また、上記実施の形態では、透明部材１１０が、窓部１１１とフランジ部１１２とが一体成型された略アイカップ形状を成している場合について説明したが、これに限らず例えば、本発明の透明部材の一例としての第２透明部材１１１０が、リング状のフランジ部（図１の符号１１２参照）を有さないで、略楕円形の板状の窓部から構成されていても良い（図４参照）。即ち、第２透明部材１１１０は、上述した様な略アイカップ形状を成していない。この構成の場合、本発明のフレーム部の一例として第２フレーム部１１２０は、図４に示す様に、（１）左右一対の第２透明部材１１１０をそれぞれ保持する樹脂製又はゴム製の第２保持部１１２１と、（２）装着者の目の周囲に接触可能な弾力性を有するパッド部１２２と、（３）左右一対の第２保持部１１２１を所定間隔を隔てて連結する連結部１２３とにより構成されている。そしてこの構成の場合、中空部材１４０は、図４に示す様に、左右一対の第２保持部１１２１の表面側において、左右両外側の上部にそれぞれ１つずつ設けられていても良いし、或いは、図５に示す様に、左右一対の第２透明部材１１１０の表面側の上部にそれぞれ１つずつ設けられていても良い。また、中空部材１４０は、図４に示す様に、左右一対の第２保持部１１２１の表面側において、左右両外側の上部にそれぞれ１つずつ設けられている場合に限らず例えば、左右一対の第２保持部１１２１の表面側において、左右両外側の上部と下部にそれぞれ１つずつ設けられていても良い。
【００３４】
ここで、図４は、上記実施の形態のスイミングゴーグル１００の変形例としての第２スイミングゴーグル１１００を示す斜視図である。図５は、上記実施の形態のスイミングゴーグル１００の変形例としての第２スイミングゴーグル１１００を示す斜視図であり、図４に示す構成例と中空部材１４０の位置が異なる構成例の図である。なお、図１で説明したものと基本的に同じ構成には同じ符号を付した。
【００３５】
また、上記実施の形態では、左右一対の透明部材１１０は、透明なポリカーボネート等の樹脂製である場合について説明したが、これに限らず例えば、透明であり、貫通孔１５０を形成できる材料であれば、どの様な材料でも良く、ガラス製であっても良い。
【００３６】
また、上記実施の形態では、図２（ｃ）に示す様に、中空部材１４０の外形が略半球状である場合について説明したが、これに限らず例えば、本発明の中空部材の他の一例としては、図６に示す様に、なだらかな山形の外形を成した第３中空部材２１４０であっても良い。この構成の場合、第３中空部材２１４０の表面が、傾斜のなだらかな形状を成しているので、水の抵抗を受けにくく、競泳用のスイミングゴーグルとして好ましい。図６は、図２（ｃ）に示す中空部材１４０の変形例としての第３中空部材２１４０を示す部分拡大概略断面図である。なお、図６中において、図２（ｃ）に示すものと基本的に同じ構成には同じ符号を付した。
【産業上の利用可能性】
【００３７】
本発明のスイミングゴーグルによれば、装着ベルトの締め付け具合を強くしなくても水の浸入を抑制することが出来るという効果を発揮し、例えば、スイミングゴーグルとして有用である。
【符号の説明】
【００３８】
１００    スイミングゴーグル
１１０    透明部材
１１１    窓部
１１２    フランジ部
１２０    フレーム部
１２１    保持部
１２２    パッド部
１２３    連結部
１３０    装着用ベルト
１４０    中空部材
１４１    空間部
１５０    貫通孔
【図１】
2018186905.tif 000003
【図２】
2018186905.tif 000004
【図３】
2018186905.tif 000005
【図４】
2018186905.tif 000006
【図５】
2018186905.tif 000007
【図６】
2018186905.tif 000008